(57)【要約】      （修正有）【課題】視線の仰角が７０°付近の最適な位置にテレビ画面の像を形成させる反射鏡装置を提供する。および、これを実現するための寸法算定方法を提供する。【解決手段】反射鏡１を反射鏡２の上部に位置させることにより、反射鏡装置で形成されたテレビ画面の像を見る視線の仰角を９０°未満とすることができる。さらに、テレビのサイズおよびテレビの位置の変化に対応して、反射鏡装置の寸法および視線の仰角を最適なものとするための寸法算定方法を確立することにより、これを用いて構成した反射鏡装置によれば、テレビ視聴者は楽な姿勢かつ自然な視線でテレビ画面の像を見ることができる。【選択図】図１
2012199600.tif 000002
【特許請求の範囲】
【請求項１】
反射鏡▲１▼（※２）を反射鏡▲２▼（※３）の上部へ位置させたことを特徴とする、２つの反射鏡を組み合わせた反射鏡装置
（※２）（再掲）反射鏡▲１▼とは、テレビ画面から出た光を反射鏡▲２▼へ向けて反射する反射鏡をいう。
（※３）（再掲）反射鏡▲２▼とは、テレビ画面から出て反射鏡▲１▼で反射された光をテレビ視聴者の目に向けて反射する反射鏡をいう。
【請求項２】
前記の反射鏡装置に関する最適な寸法を算出する手法（※９）の確立
（※９）最適な寸法を算出する手法とは、テレビのサイズおよびテレビの位置の変化に対応して、反射鏡装置の寸法および視線の仰角を最適なものとするための寸法算定方法をいう。
【発明の詳細な説明】
【技術分野】
【０００１】  この発明は、２つの平面反射鏡を組合せた装置（以下、反射鏡装置）を用いたテレビの視聴に関する。
【背景技術】
【０００２】  従来から、床・ベッド等（以下、仰臥面）に横たわったまま仰向けの姿勢でテレビ画面を見る人（以下、テレビ視聴者）が足元方向のテレビ画面を見るときは、顔を持ち上げるなど窮屈な姿勢をとっていた。
【先行技術文献】
【特許文献】
【０００３】
【特許文献１】特開２００２−１０１７５（Ｐ２００２−１０１７５Ａ）（Ｈ１９．０９．２５見なし取下）
【発明の概要】
【発明が解決しようとする課題】
【０００４】  しかしながら、以上の技術によれば、反射鏡装置で形成されたテレビ画面の像（以下、テレビ画面の像）を見る視線の仰角（※１）が９０°を超え、テレビ視聴者は上目使いに、テレビ画面の像を見ることになる。
また、反射鏡装置各部の寸法を算定する方法（以下、寸法算定方法）についての開示はない。
そこで、この発明は、視線の仰角が７０°付近の最適な位置にテレビ画面の像を形成させる反射鏡装置を提供すること、および、これを実現するための寸法算定方法を提供することを課題とする。
（※１）仰角とは、テレビ画面の像を見るテレビ視聴者の視線（以下、視線）の角度をいい、仰臥面に平行な足元方向を０°、仰臥面に垂直な上部方向を９０°とする。
【課題を解決するための手段】
【０００５】  以上の課題を解決するために、第一発明は、反射鏡▲１▼（※２）を反射鏡▲２▼（※３）の上部に位置させたことを特徴とする反射鏡装置である。
また、第二発明は、テレビのサイズおよびテレビの位置の変化に対応して、反射鏡装置の寸法および視線の仰角を最適なものとするための寸法算定方法を確立することを特徴とする反射鏡装置である。
（※２）反射鏡▲１▼とは、テレビ画面から出た光を反射鏡▲２▼へ向けて反射する反射鏡をいう。
（※３）反射鏡▲２▼とは、テレビ画面から出て反射鏡▲１▼で反射された光をテレビ視聴者の目（以下、視点）に向けて反射する反射鏡をいう。
【発明の効果】
【０００６】  第一発明によれば、テレビをテレビ視聴者の足元方向に位置させた状態で、視線の仰角を９０°未満とする位置に、テレビ画面の像を形成させることができる。
さらに第二発明によれば、テレビのサイズおよびテレビの位置の変化に対応して、反射鏡装置の寸法および視線の仰角を最適なものとするができる。
【図面の簡単な説明】
【０００７】
【図１】この発明の一実施形態を示す側面視図であり、図中に、計算式（※４）に用いる「角度を表わす符号」を付記したものである。（※４）計算式とは、反射鏡装置各部の寸法を計算する式をいう。
【図２】この発明の一実施形態を示す側面視図であり、図中に、計算式に用いる「長さを表わす符合」を付記したものである。
【図３】この発明の一実施形態を示す側面視図であり、図中に、計算式に用いる「長さを表わす符合」を付記したものである。
【図４】この発明の一実施形態を示す側面視図および斜視図であり、図中に、計算式に用いる「反射鏡装置の寸法を表わす符号」を付記したものである。
【発明を実施するための形態】
【０００８】この発明の一実施形態を図１〜図４に示す。
テレビ画面から出た光は、反射鏡▲１▼および反射鏡▲２▼によって反射され、視点に到達する。
テレビ視聴者は、反射鏡▲２▼を透過した位置に形成されたテレビ画面の像を見ることができる。
【０００９】以下の項目に、計算式および寸法算定方法に関する事項を示す。
「計算式の決定に当たっての条件」（００１０）
「計算式に用いる記号」（００１１）
「計算式の決定」（００１２）
「全ての計算式を用いて行う寸法算定方法（一般計算手順）」（００１３）
「一部の計算式を用いて行う寸法算定方法（簡易計算手順）」（００１４）
【００１０】「計算式の決定に当たっての条件」
（１０ａ）反射鏡の縦寸法
視点を固定した状態でテレビ画面の像を見たとき、像の上下両端を見ることができる最小寸法の２．０倍以上とする。
（１０ｂ）反射鏡の横寸法
視点を固定した状態で、片目でテレビ画面の像を見たとき、像の左右両端を見ることができる最小寸法の１．５倍以上とする。
さらに、テレビ視聴者の両眼の間隔による横幅の増加を考慮し、反射鏡の横寸法に８ｃｍを加える。
（１０ｃ）「反射鏡▲１▼の中心」から「テレビ画面の中心」に向かう直線の角度の範囲（図１参照）
０°〜１０°の範囲内とする。
（１０ｄ）仰臥面の姿勢
仰臥面を水平とする。（※５）
（※５）「水平とする」とは、計算式の決定に便利なよう設定したものであり、反射鏡装置を使用する際の姿勢を規定したものではない。
（１０ｅ）「反射鏡▲２▼の鏡面」の角度
仰臥面に対して９０°とする。（※６）
（※６）「９０°とする」とは、計算式の決定に便利なよう設定したものであり、反射鏡装置を使用する際の角度を規定したものではない。
【００１１】「計算式に用いる記号および符号」
後述［符号の説明］項による。
【００１２】「計算式の決定」
（１２ａ）Ｊ
Ｊ＝Ｇ＋Ｎ＊ｓｉｎα＋Ｍ＊ｓｉｎα
＝Ｇ＋（Ｍ＋Ｎ）＊ｓｉｎα                        ‥‥‥‥‥‥‥‥  ▲１▼
（１２ｂ）γ
ｔａｎγ＝〔（Ｆ＋Ｈ／２）−Ｊ〕／Ｌ
故に、  γ＝ｔａｎ−１〔（Ｆ＋Ｈ／２−Ｊ）／Ｌ〕      ‥‥‥‥‥‥‥‥  ▲２▼
（１２ｃ）θ
反射鏡▲１▼の鏡面の法線は、（β＋γ）を２等分した方向であるから、
δ＝（β＋γ）／２−γ＝（β−γ）／２
一方、反射鏡▲２▼の鏡面は垂直であるから、
β＝α
故に、  δ＝（α−γ）／２
角度θは、反射鏡▲１▼の面法線と反射鏡▲２▼の面法線との角度に等しいから、
θ＝δ＝（α−γ）／２                              ‥‥‥‥‥‥‥‥  ▲３▼
（１２ｄ）Ｈｍ１
「テレビ画面の中心」から「視点」までの長さは、
Ｌ／ｃｏｓγ＋Ｍ＋Ｎ≒Ｌ＋Ｍ＋Ｎ
「反射鏡▲１▼」から「視点」までの長さは、
Ｍ＋Ｎ
故に、長さによるＨｍ１の減少割合は、
（Ｍ＋Ｎ）／（Ｌ＋Ｍ＋Ｎ）                          ‥‥‥‥‥‥‥‥  （ア）
入射角は、（β＋γ）／２であり、一方、β＝αであるから、
入射角は、（α＋γ）／２
故に、入射角によるＨｍ１の増加割合は、
１／ｃｏｓ〔（α＋γ）／２〕                        ‥‥‥‥‥‥‥‥  （イ）
式（ア）、式（イ）より、
Ｈｍ１＝２．０＊Ｈ＊〔（Ｍ＋Ｎ）／（Ｌ＋Ｍ＋Ｎ）〕／ｃｏｓ〔（α＋γ）／２〕                                                        ‥‥‥‥‥‥‥‥  ▲４▼
（１２ｅ）Ｗｍ１
長さによるＷｍ１の減少割合は、Ｈｍ１と同じであり、
（Ｍ＋Ｎ）／（Ｌ＋Ｍ＋Ｎ）
故に、
Ｗｍ１＝１．５＊Ｗ＊〔（Ｍ＋Ｎ）／（Ｌ＋Ｍ＋Ｎ）〕＋８ｃｍ  ‥‥‥‥  ▲５▼
（１２ｆ）Ｈｍ２
「テレビ画面の中心」から「視点」までの長さは、
Ｌ／ｃｏｓγ＋Ｍ＋Ｎ≒Ｌ＋Ｍ＋Ｎ
「反射鏡▲２▼」から「視点」までの長さは、
Ｎ
故に、長さによるＨｍ２の減少割合は、
Ｎ／（Ｌ＋Ｍ＋Ｎ）                                  ‥‥‥‥‥‥‥‥  （ウ）
入射角は、αであるから、入射角によるＨｍ２の増加割合は、
１／ｃｏｓα                                        ‥‥‥‥‥‥‥‥  （エ）
式（ウ）、式（エ）より、
Ｈｍ２＝２．０＊Ｈ＊〔Ｎ／（Ｌ＋Ｍ十Ｎ）〕／ｃｏｓα  ‥‥‥‥‥‥‥  ▲６▼
（１２ｇ）Ｗｍ２
長さによるＷｍ２の減少割合は、Ｈｍ２と同じであり、
Ｎ／（Ｌ＋Ｍ＋Ｎ）
故に、
Ｗｍ２＝１．５＊Ｗ＊〔Ｎ／（Ｌ＋Ｍ＋Ｎ）〕＋８ｃｍ  ‥‥‥‥‥‥‥‥  ▲７▼
（１２ｈ）Ｍ
縦方向の長さに着目すると、
Ｍ＊ｓｉｎα＝（Ｈｍ１＊ｃｏｓθ＋Ｈｍ２）／２
故に、  Ｍ＝（Ｈｍ１＊ｃｏｓθ＋Ｈｍ２）／（２＊ｓｉｎα）  ‥‥‥‥‥  ▲８▼
一方、横方向の長さに着目すると、
Ｍ＊ｃｏｓα＝Ｙ＋Ｈｍ１＊ｓｉｎθ／２
故に、  Ｍ＝（Ｙ＋Ｈｍ１＊ｓｉｎθ／２）／ｃｏｓα    ‥‥‥‥‥‥‥‥  ▲９▼
（１２ｉ）Ｙ
式▲８▼＝式▲９▼より
（Ｈｍ１＊ｃｏｓθ＋Ｈｍ２）／（２＊ｓｉｎα）＝（Ｙ＋Ｈｍ１＊ｓｉｎθ／２）／ｃｏｓα
故に、  Ｙ＝（Ｈｍ１＊ｃｏｓθ＋Ｈｍ２）＊（ｃｏｓα／２ｓｉｎα）−（Ｈｍ１＊ｓｉｎθ／２）
＝〔（Ｈｍ１＊ｃｏｓθ＋Ｈｍ２）／ｔａｎα−Ｈｍ１＊ｓｉｎθ〕／２
‥‥‥‥‥‥‥  ▲１０▼
（１２ｊ）Ｚ
Ｚ＝Ｈｍ１＊ｃｏｓθ                                ‥‥‥‥‥‥‥  ▲１１▼
【００１３】「全ての計算式を用いて行う寸法算定方法（一般計算手順）」
（１３ａ）Ｈ、Ｗ、Ｌ、Ｆ、Ｇ、Ｎ、αを設定する。
（１３ｂ）Ｍを仮設定する。
（１３ｃ）Ｊ、γ、θ、Ｈｍ１、Ｗｍ１、Ｈｍ２、Ｗｍ２  を計算する。
Ｊ＝Ｇ＋（Ｍ＋Ｎ）＊ｓｉｎα                        ‥‥‥‥‥‥‥‥  ▲１▼
γ＝ｔａｎ−１〔（Ｆ＋Ｈ／２−Ｊ）／Ｌ〕            ‥‥‥‥‥‥‥‥  ▲２▼
θ＝（α−γ）／２                                  ‥‥‥‥‥‥‥‥  ▲３▼
Ｈｍ１＝２．０＊Ｈ＊〔（Ｍ＋Ｎ）／（Ｌ＋Ｍ＋Ｎ）〕／ｃｏｓ〔（α＋γ）／２〕
‥‥‥‥‥‥‥‥  ▲４▼
Ｗｍ１＝１．５＊Ｗ＊〔（Ｍ＋Ｎ）／（Ｌ＋Ｍ＋Ｎ）〕＋８ｃｍ
‥‥‥‥‥‥‥‥  ▲５▼
Ｈｍ２＝２．０＊Ｈ＊〔Ｎ／（Ｌ＋Ｍ＋Ｎ）〕／ｃｏｓα
‥‥‥‥‥‥‥‥  ▲６▼
Ｗｍ２＝１．５＊Ｗ＊〔Ｎ／（Ｌ＋Ｍ＋Ｎ）〕＋８ｃｍ  ‥‥‥‥‥‥‥‥  ▲７▼
（１３ｄ）Ｈｍ１、Ｗｍ１、Ｈｍ２、Ｗｍ２の計算値を参考に、Ｈｍ１、Ｗｍ１、Ｈｍ２、Ｗｍ２を決定する。
（１３ｅ）Ｙ、Ｚを計算する。
Ｙ＝〔（Ｈｍ１＊ｃｏｓθ＋Ｈｍ２）／ｔａｎα−Ｈｍ１＊ｓｉｎθ〕／２
‥‥‥‥‥‥‥  ▲１０▼
Ｚ＝Ｈｍ１＊ｃｏｓθ                                ‥‥‥‥‥‥‥  ▲１１▼
（１３ｆ）Ｍを計算し、仮設定した値と比較し、値が相違する場合は、上記（２２−２）項からやり直す。
Ｍ＝（Ｈｍ１＊ｃｏｓθ＋Ｈｍ２）／（２＊ｓｉｎα）  ‥‥‥‥‥‥‥‥  ▲８▼
Ｍ＝（Ｙ＋Ｈｍ１＊ｓｉｎθ／２）／ｃｏｓα          ‥‥‥‥‥‥‥‥  ▲９▼
【００１４】「一部の計算式を用いて行う寸法算定方法（簡易計算手順）」
（１４ａ）α、γを設定する。
（１４ｂ）θを計算する。
θ＝（α−γ）／２                                  ‥‥‥‥‥‥‥‥  ▲３▼
（１４ｃ）Ｈｍ１、Ｗｍ１、Ｈｍ２、Ｗｍ２を設定する。（※７）
（※７）
前述の「一般計算手順」では、Ｈ、Ｗ、Ｌ、Ｇ、Ｎ、Ｍを設定しこれらを用いて、Ｈｍ１、Ｗｍ１、Ｈｍ２、Ｗｍ２を算出しているが、
「簡易計算手順」では、Ｈ、Ｗ、Ｌ、Ｇ、Ｎ、Ｍを設定せず、直接、Ｈｍ１、Ｗｍ１、Ｈｍ２、Ｗｍ２を設定する。
（１４ｄ）Ｙ、Ｚを計算する。
Ｙ＝〔（Ｈｍ１＊ｃｏｓθ＋Ｈｍ２）／ｔａｎα−Ｈｍ１＊ｓｉｎθ〕／２
‥‥‥‥‥‥‥  ▲１０▼
Ｚ＝Ｈｍ１＊ｃｏｓθ                                ‥‥‥‥‥‥‥  ▲１１▼
【００１５】「実施形態の効果」
この実施形態によれば、テレビをテレビ視聴者の足元方向に位置させた状態で、テレビ画面の像を、視線の仰角が７０°付近の最適な位置へ形成させることができ、テレビ視聴者は、楽な姿勢かつ自然な視線でテレビ画面の像を見ることができ、特に、頚椎の曲げに苦痛を感じる、または支障のある人が、テレビを見るときに感じる不快感を軽減することが可能となる。
【符号の説明】
【００１６】  加減乗除を表わす記号
＋：加算    −：減算    ＊：乗算    ／：除算【００１７】  角度を表わす符号（図１参照）
仰臥面に平行な足元方向を角度基準（０°）とする。（図１中に矢印で示す方向）
α：「視点」から「テレビ画面の像の中心」に向かう直線の角度（視線の仰角）
β：「反射鏡▲１▼の中心」から「反射鏡▲２▼の中心」に向かう直線の角度（※８）
γ：「反射鏡▲１▼の中心」から「テレビ画面の中心」に向かう直線の角度（※８）
δ：反射鏡▲１▼の面法線の角度
θ：「反射鏡▲１▼の鏡面」と「反射鏡▲２▼の鏡面」とがなす角度
（※８）視点とテレビ画面（又はテレビ画面の像）の中心を結ぶ線に対して反射鏡の面が直角ではないため、厳密にはテレビ画面（又はテレビ画面の像）の中心が反射鏡の中心を通らないが、中心からのズレは僅かであるため、このズレを無視する。【００１８】  長さを表わす符号（図２、図３参照）
Ｆ：「仰臥面」から「テレビ画面下端」までの高さ
Ｇ：「仰臥面」から「視点」までの高さ
Ｊ：「仰臥面」から「反射鏡▲１▼の中心」までの高さ
Ｌ：「テレビ画面の中心」から「反射鏡▲１▼の中心」までの水平長さ
Ｍ：「反射鏡▲１▼の中心」から「反射鏡▲２▼の中心」までの長さ
Ｎ：「反射鏡▲２▼の中心」から「視点」までの長さ
Ｈ：テレビ画面の縦寸法
Ｗ：テレビ画面の横寸法【００１９】  反射鏡装置の寸法を表わす符号（図４参照）
Ｈｍ１：反射鏡▲１▼の縦寸法
Ｗｍ１：反射鏡▲１▼の横寸法
Ｈｍ２：反射鏡▲２▼の縦寸法
Ｗｍ２：反射鏡▲２▼の横寸法
Ｙ：「反射鏡▲１▼の頂部」から「反射鏡▲２▼の頂部」までの水平長さ
Ｚ：「反射鏡▲１▼の頂部」から「反射鏡▲２▼の頂部」までの高さ
【図１】
2012199600.tif 000003
【図２】
2012199600.tif 000004
【図３】
2012199600.tif 000005
【図４】
2012199600.tif 000006
【手続補正書】
【提出日】平成23年2月15日(2011.2.15)
【手続補正１】
【補正対象書類名】明細書
【補正対象項目名】０００９
【補正方法】変更
【補正の内容】
【０００９】以下の項目に、計算式および寸法算定方法に関する事項を示す。
「計算式の決定に当たっての条件」（００１０）
「計算式に用いる記号および符号」（００１１）
「計算式の決定」（００１２）
「全ての計算式を用いて行う寸法算定方法（一般計算手順）」（００１３）
「一部の計算式を用いて行う寸法算定方法（簡易計算手順）」（００１４）
【手続補正２】
【補正対象書類名】明細書
【補正対象項目名】００１３
【補正方法】変更
【補正の内容】
【００１３】「全ての計算式を用いて行う寸法算定方法（一般計算手順）」
（１３ａ）Ｈ、Ｗ、Ｌ、Ｆ、Ｇ、Ｎ、αを設定する。
（１３ｂ）Ｍを仮設定する。
（１３ｃ）Ｊ、γ、θ、Ｈｍ１、Ｗｍ１、Ｈｍ２、Ｗｍ２  を計算する。
Ｊ＝Ｇ＋（Ｍ＋Ｎ）＊ｓｉｎα
・・・・・・・・・・・・・・・・・・・・  ▲１▼
γ＝ｔａｎ−１〔（Ｆ＋Ｈ／２−Ｊ）／Ｌ〕
・・・・・・・・・・・・・・・・・・・・  ▲２▼
θ＝（α−γ）／２
・・・・・・・・・・・・・・・・・・・・  ▲３▼
Ｈｍ１＝２．０＊Ｈ＊〔（Ｍ＋Ｎ）／（Ｌ＋Ｍ＋Ｎ）〕／ｃｏｓ〔（α＋γ）／２〕
・・・・・・・・・・・・・・・・・・・・  ▲４▼
Ｗｍ１＝１．５＊Ｗ＊〔（Ｍ＋Ｎ）／（Ｌ＋Ｍ＋Ｎ）〕＋８ｃｍ
・・・・・・・・・・・・・・・・・・・・  ▲５▼
Ｈｍ２＝２．０＊Ｈ＊〔Ｎ／（Ｌ＋Ｍ＋Ｎ）〕／ｃｏｓα
・・・・・・・・・・・・・・・・・・・・  ▲６▼
Ｗｍ２＝１．５＊Ｗ＊〔Ｎ／（Ｌ＋Ｍ＋Ｎ）〕＋８ｃｍ
・・・・・・・・・・・・・・・・・・・・  ▲７▼
（１３ｄ）Ｈｍ１、Ｗｍ１、Ｈｍ２、Ｗｍ２の計算値を参考に、Ｈｍ１、Ｗｍ１、Ｈｍ２、Ｗｍ２を決定する。
（１３ｅ）Ｙ、Ｚを計算する。
Ｙ＝〔（Ｈｍ１＊ｃｏｓθ＋Ｈｍ２）／ｔａｎα−Ｈｍ１＊ｓｉｎθ〕／２
・・・・・・・・・・・・・・・・・・・  ▲１０▼
Ｚ＝Ｈｍ１＊ｃｏｓθ
・・・・・・・・・・・・・・・・・・・  ▲１１▼
（１３ｆ）Ｍを計算し、仮設定した値と比較し、値が相違する場合は、上記（１３ｂ）項からやり直す。
Ｍ＝（Ｈｍ１＊ｃｏｓθ＋Ｈｍ２）／（２＊ｓｉｎα）
・・・・・・・・・・・・・・・・・・・・  ▲８▼
Ｍ＝（Ｙ＋Ｈｍ１＊ｓｉｎθ／２）／ｃｏｓα
・・・・・・・・・・・・・・・・・・・・  ▲９▼
【手続補正書】
【提出日】平成23年11月11日(2011.11.11)
【手続補正１】
【補正対象書類名】明細書
【補正対象項目名】００１５
【補正方法】変更
【補正の内容】
【００１５】「実施形態の効果」
この実施形態によれば、テレビをテレビ視聴者の足元方向に位置させた状態で、テレビ画面の像を、視線の仰角が７０°付近の最適な位置へ形成させることができ、テレビ視聴者は、楽な姿勢かつ自然な視線でテレビ画面の像を見ることができ、特に、頚椎の曲げに苦痛を感じる、または支障のある人が、テレビを見るときに感じる不快感を軽減することが可能となる。
また、３Ｄ用メガネを使用して３Ｄテレビを見るとき、この実施形態によれば正しい３Ｄ映像を得ることができる。これは、「３Ｄ用メガネの両眼の中心点を結ぶ線」と「テレビ画面（又はテレビ画面の像）の水平線」が平行状態であることによる。